(57)【要約】【課題】ホースにより室内空気あるいはドレン水を屋外に排出する排出部を持つ分離型空気調和機であって、室内ユニット側面に換気ファンが配置され換気ダクト口部と室内ユニット本体出口が近接し、且つ室内ユニット本体出口開口部が十分確保できなくても、室内空気あるいはドレン水送出ホースの引き回しを容易にして施工性を向上させる。【解決手段】閉時に略円筒状をなし、前記筒端部にはフランジ部を設けた略Ｃ形状の取付固定バンドと、前記取付固定バンドと、軸方向に嵌合する受け具よりなることを特徴とするホースの取付装置をもって、室内ユニットの排出口にホースを設ける。【選択図】図１０ 
2005147612.tif 000002
【特許請求の範囲】
【請求項１】
閉時に略円筒状をなし、前記筒端部にはフランジ部を設けた略Ｃ形状の取付固定バンドと、前記取付固定バンドと、軸方向に嵌合する受け具よりなることを特徴とするホースの取付装置。
【請求項２】
取付固定バンドの外周部に単数、または複数のフックを設け、受け具には前記フックが係合するフック受け部を設けたことを特徴とする、請求項１記載のホースの取付装置。
【請求項３】
取付固定バンドの内周あるいは外周に第１の仮止め部と、前記第１の仮止め部に係合する第２の仮止め部を設け、前記第１第２の仮止め部を相互に係合した際に、フランジ部がホースの外周に嵌合することを特徴とする、請求項１記載のホースの取付装置。
【請求項４】
取付固定バンドの外周にネジ穴を設けた複数のネジ用フランジを設け、第１第２の仮止め部を相互に係合した際に、前記複数のネジ用フランジ部のネジ穴が互いに重なり合うように設けたことを特徴とする、請求項３記載のホースの取付装置。
【請求項５】
受け具の外周に第１のリブを設け、ネジ用フランジ部を当接させて円周方向の位置を固定することを特徴とする、請求項４記載のホースの取付装置。
【請求項６】
第１のリブは取付固定バンドの外周部に当接させ、前記取付固定バンドを閉じる方向に押さえる事を特徴とする、請求項５記載のホースの取付装置。
【請求項７】
取付固定バンドの外周部には、軸方向に略平行に案内溝を一箇所以上設け、受け具には前記溝部に嵌着する第２のリブを設けたことを特徴とする、請求項１〜６のいずれかに記載のホースの取付装置。
【請求項８】
溝部の肉厚はその他の部位に比べて薄肉となっていることを特徴とする、請求項７記載のホースの取付装置。
【発明の詳細な説明】
【技術分野】
【０００１】
本発明は、空気調和機の室内ユニットに接続されるホースの取付装置に関するものである。
【背景技術】
【０００２】
従来この種のホースの取付装置は、例えば換気機能付き空気調和機の室内ユニットに熱交換器、送風ファン、及び換気ファン等を具備した換気ユニットを備え、前記換気ユニットは室内ユニットの側面部に載置されており、アダプター（以下バンド）と円形状のエルボを用いて排気経路の方向を変更する構成とその先に円形ホースを接続した構成のものがあった。
【０００３】
上記発明の構成においては、室内ユニットから室内空気を搬送するためにファンの排気口に換気ホースを連結する為のバンドを用いてビス止めされる事例が開示されている（例えば、特許文献１参照）。
【特許文献１】特開２０００−１７１０５４号公報
【発明の開示】
【発明が解決しようとする課題】
【０００４】
しかしながら、前記従来の構成では、ホース端部近傍に設けたフランジ様の部分にビス穴を設け、前記ビス穴にビスを貫通させ室内ユニットに共締めすることで室内ユニットを固定しており、室内ユニット側面に換気ファンが配置され換気ダクト口部と室内ユニット本体出口が近接し、且つ室内ユニット本体出口開口部が十二分に確保できない場合においてはホース施工工事の難易度が高く、工数がかかる問題を抱えている。
【０００５】
本発明は、上記従来の課題を解決し、室内空気送出ホースの施工工事の容易化と簡単施工が出来る構成にした換気機能付き空気調和機の提供を目的とする。
【課題を解決するための手段】
【０００６】
前記従来の課題を解決するために、本発明のホースの取付装置は、閉時に略円筒状をなし、前記筒端部にはフランジ部を設けた略Ｃ形状の取付固定バンドと、前記取付固定バンドと、軸方向に嵌合する受け具よりなることを特徴とするものである。
【発明の効果】
【０００７】
本発明のホースの取付装置は、室内ユニットから室内空気を屋外に排出するホース配管を簡単に室内ユニットに接続固定することができ、施工性の向上が実現できる。
【発明を実施するための最良の形態】
【０００８】
第１の発明は、閉時に略円筒状をなし、前記筒端部にはフランジ部を設けた略Ｃ形状の取付固定バンドと、前記取付固定バンドと、軸方向に嵌合する受け具より構成したもので、ホースを換気ダクト部に容易に取付ける事ができ、施工性を向上する事ができる。
【０００９】
第２の発明は、特に第１の発明の取付固定バンドの外周部に単数、または複数のフックを設け、受け具には前記フックが係合するフック受け部を設けたもので、ホースに固定した取付固定バンドをワンタッチで受け具に接続することができるので、施工性を向上する事ができる。
【００１０】
第３の発明は、特に第１の発明の取付固定バンドの内周あるいは外周に第１の仮止め部
と、前記第１の仮止め部に係合する第２の仮止め部を設け、前記第１第２の仮止め部を相互に係合した際に、フランジ部がホースの外周に嵌合するもので、取付固定バンドをホースに簡単に仮止めでき、さらにホースに仮止めした取付固定バンドを受け具に接続することができるので、施工性を向上する事ができる。
【００１１】
第４の発明は、特に第３の発明の取付固定バンドの外周にネジ穴を設けた複数のネジ用フランジを設け、第１第２の仮止め部を相互に係合した際に、前記複数のネジ用フランジ部のネジ穴が互いに重なり合うように設けたもので、仮止めによってホースに取付固定バンドを固定した際にネジ穴が相互に重なり、容易にネジを貫通させる事ができるので、施工性を向上する事ができる。
【００１２】
第５の発明は、特に第４の発明の受け具の外周に第１のリブを設け、ネジ用フランジ部を当接させて円周方向の位置を固定するもので、受け具に対する取付固定バンドの相対位置を簡単に決定する事ができるので、施工性を向上する事ができる。
【００１３】
第６の発明は、特に第５の発明の第１のリブを取付固定バンドの外周部に当接させ、前記取付固定バンドを閉じる方向に押さえるもので、ホースに仮固定した取付固定バンドを受け具にビス止めする際に、取付固定バンドが不用意に開いてしまわないようにでき、施工性を向上する事ができる。
【００１４】
第７の発明は、特に第１〜６の発明の取付固定バンドの外周部には、軸方向に略平行に案内溝を一箇所以上設け、受け具には前記溝部に嵌着する第２のリブを設けたもので、取付固定バンドを受け具に嵌着する際の案内となるので、施工性を向上する事ができる。
【００１５】
第８の発明は、特に第７の発明の溝部の肉厚がその他の部位に比べて薄肉となっているもので、取付固定バンドの外周の一部が薄肉とすることで薄肉部分の柔軟性が増し、取付固定バンドの開閉が容易になるので、施工性を向上する事ができる。
【００１６】
以下、本発明の実施例について、図を参照にしながら説明する。なお、この実施の形態によって本発明が限定されるものではない。
【００１７】
（実施の形態１）
図１は本発明の第１の実施の形態によるホースの取付装置を装着した分離型空気調和機の構成図である。
【００１８】
図１において、分離型空気調和機の室内ユニットは室内ユニット本体１と冷媒用配管４と換気用ホース２とドレン排水用ホース３から構成されている。
【００１９】
室内空気を屋外に排出する換気の排出口である換気ダクトは図２の様に室内ユニット側面の近傍、且つ室内本体出口１ａと重なる様に配置され、換気ダクト口７には、分離型空気調和機の室内ユニットに取り付ける取付固定バンド５と受け具６が設けられている。
【００２０】
取付固定バンド５には、相互に係合してホースに仮止め出来る仮止め部５ａ’、挿入する事で固定できる２つのフック５ｂ、ネジ穴を設けた第１のフランジ５ｃと誤挿入を防ぐ溝部５ｄを設け、取付の容易化と取付位置の明確化且つ誤接続を防ぐことにより容易に接続することができる様に構成されている。
【００２１】
一方、受け具には、第１のリブ６ａと第２のリブ６ｃを設け、６ａは取付固定バンド５をその外周から押さえ、仮固定した取付固定バンド５が開いてしまわないように設けられている。
【００２２】
また、６ｃは取付固定バンド５に設けた溝部５ｄと嵌着し、円周方向の位置決めをすることで、取付位置の明確化と誤接続を防ぐことができ且つ取付固定バンドのフック５ｂと嵌接する溝６ｂを設け容易に接続することができる。
【００２３】
また、取付固定バンドの溝部５ｄは受け具の第２のリブ６ｃと勘着して円周方向の位置を決定できる様に構成されている。
【産業上の利用可能性】
【００２４】
以上のように、本発明にかかるホースの取付装置は、空気調和機の室内ユニットから室内空気を屋外に排出するホース配管を簡単にジョイント工事することができ、補強及び移設等でフックが故障した際にも安心して施工ができるので、ドレーン水用のホース等にも適用できる。
【図面の簡単な説明】
【００２５】
【図１】本発明の換気機能付き空気調和機の構成図
【図２】本発明の室内ユニット背面及び側面図
【図３】本発明の取付固定バンドの三面図
【図４】本発明の取付固定バンドの斜視図
【図５】本発明の受け具の三面図
【図６】本発明の受け具の斜視図
【図７】本発明の取付固定バンドと受け具の構成図（１）
【図８】本発明の取付固定バンドと受け具の構成図（２）
【図９】本発明の取付固定バンド仮止め構成図
【図１０】本発明の取付固定バンドと受け具のネジ止め構成図
【図１１】従来の室内ユニット背面構成図
【図１２】従来の室内ユニットのホース取付部を示す図
【符号の説明】
【００２６】
１  室内ユニット
２  換気ホース
３  ドレンホース
４  冷媒配管
５  取付固定バンド
５ａ  第１の仮止め部
５ａ’  第２の仮止め部
５ｂ  フック
５ｃ  ネジ用フランジ部
５ｄ  溝部
５ｅ  フランジ部
６  受け具
６ａ  第１のリブ
６ｂ  フック受け部
６ｃ  第２のリブ
７  換気ダクト口
【図１】
2005147612.tif 000003
【図２】
2005147612.tif 000004
【図３】
2005147612.tif 000005
【図４】
2005147612.tif 000006
【図５】
2005147612.tif 000007
【図６】
2005147612.tif 000008
【図７】
2005147612.tif 000009
【図８】
2005147612.tif 000010
【図９】
2005147612.tif 000011
【図１０】
2005147612.tif 000012
【図１１】
2005147612.tif 000013
【図１２】
2005147612.tif 000014